(57)【要約】      （修正有）【課題】マット上の児に対してＸ線撮影などを行うときに、加熱器を別の位置に退避させる必要がないか、退避させるとしても、多少退避させるだけでよいだけでなく、マットの上面がほぼ長方形状であっても、このマットの上面全体をほぼ一様またはおよそ一様に加温することができる児ケア用装置を提供する。【解決手段】反射器２４の上側反射板部２６の内周面は、ロッド状発熱体２３の軸心方向に対してほぼ平行に延在している反射面を構成している。この反射面をほぼ平面状に展開した状態における上記反射面の前後方向における中心に対して、上記軸心方向に直交する方向のうちの平面的に見て児用マット４の中心４ａ側とは反対側に向う方向の端部である上記反射面の後端が下方に屈曲している第１の角度が、上記反射面の上記中心に対して、上記後端とは反対側の端部である前端が下方に屈曲している第２の角度よりも、大きい。【選択図】図３
2010082325.tif 000002
【特許請求の範囲】
【請求項１】
児を横たわらせるためのマットと、
このマットの上面に熱線を放射することができる加熱器とを備え、
上記加熱器は、上記マットの上記上面の中心に対して斜め上方にその中心を有するほぼロッド状の発熱体と、このロッド状発熱体をほぼ上方から覆っている上側反射板部を有する反射器とを備え、
上記上側反射板部の内周面は、上記ロッド状発熱体の軸心方向に対してほぼ平行に延在している反射面を構成し、
この反射面をほぼ平面状に展開した状態における上記反射面の前後方向における中心に対して、上記軸心方向に直交する方向のうちの平面的に見て上記マットの上記中心側とは反対側に向う方向の端部である上記反射面の後端が下方に屈曲している第１の角度が、上記反射面の上記中心に対して、上記後端とは反対側の端部である前端が下方に屈曲している第２の角度よりも、大きいことを特徴とする児ケア用装置。
【請求項２】
上記第１の角度が、５０°〜１１５°の範囲であり、
上記第２の角度が、２０°〜４５°の範囲であり、
上記反射面の上記前端に対して上記反射面の後端が下方に屈曲している第３の角度が、７０°〜１６０°の範囲であり、
上記第１の角度から上記第２の角度を差し引いた第４の角度が、３０°〜７０°の範囲であることを特徴とする請求項１に記載の児ケア用装置。
【請求項３】
上記第１の角度が、５５°〜１００°の範囲であり、
上記第２の角度が、２２．５°〜４０°の範囲であり、
上記反射面の上記前端に対して上記反射面の後端が下方に屈曲している第３の角度が、８０°〜１４０°の範囲であり、
上記第１の角度から上記第２の角度を差し引いた第４の角度が、３５°〜６０°の範囲であることを特徴とする請求項１に記載の児ケア用装置。
【請求項４】
上記第１角度が、６０°〜９５°の範囲であり、
上記第２の角度が、２４°〜３６°の範囲であり、
上記反射面の上記前端に対して上記反射面の後端が下方に屈曲している第３の角度が、８５°〜１３０°の範囲であり、
上記第１の角度から上記第２の角度を差し引いた第４の角度が、３６°〜５８°の範囲であることを特徴とする請求項１に記載の児ケア用装置。
【請求項５】
上記反射面が、上記ロッド状発熱体の上記軸心方向にほぼ沿って長手状に延在しかつほぼ平面形状である多数の反射面部から構成され、
これら多数の長手状反射面部が、上記反射面の上記前後方向に互いに隣接して順次配列されていることを特徴とする請求項１〜４のうちのいずれか１つに記載の児ケア用装置。
【請求項６】
上記ロッド状発熱体の上記中心を通りかつ上記ロッド状発熱体の上記軸心方向とはほぼ直交している水平方向が、平面的に見て、上記マットのほぼ上記中心を通ることを特徴とする請求項１〜５のうちのいずれか１つに記載の児ケア用装置。
【請求項７】
上記反射面の上記中心に対して上記反射面がこの中心から上記反射面の上記前端に向うにしたがって下方に屈曲している角度の変化の度合いは、上記反射面の上記中心から上記反射面の上記前端に向うにしたがって、段階的および／または連続的に小さくなっており、
上記反射面の上記中心に対して上記反射面がこの中心から上記反射面の上記後端に向うにしたがって下方に屈曲している角度の変化の度合いは、途中の箇所までは段階的および／または連続的に大きくなっており、上記途中の箇所からは段階的および／または連続的に小さくなっていることを特徴とする請求項１〜６のうちのいずれか１つに記載の児ケア用装置。
【発明の詳細な説明】
【技術分野】
【０００１】
本発明は、未熟児などの児を横たわせるためのマットと、このマットの上面に熱線を放射することができる加熱器とを備えている、閉鎖型保育器兼用の開放型保育器、開放型保育器、児蘇生処置用装置、その他の児ケア用装置に関するものであって、閉鎖型保育器兼用の開放型保育器に適用するのに最適なものである。
【背景技術】
【０００２】
特許文献１には、児を横たわせるための平面的に見てほぼ長方形状の児用マットと、このマットの上面に熱線を放射することができる加熱器とを備えている開放型保育器（いわゆる、インファントウォーマ）が開示されている。そして、この特許文献１の開放型保育器としては、ほぼロッド状の発熱体が用いられている第１の例と、ほぼ球状の発熱体が用いられている第２の例とが示されている。
【特許文献１】特開２０００−３５４６１４号公報
【０００３】
特許文献１の上記第１の例の開放型保育器においては、加熱器は、児用マットのほぼ真上に配置されている。そして、加熱器の前後方向の長さは、児用マットの前後方向の長さとほぼ同一であるから、ロッド状発熱体は、児用マットの上面全体をほぼ一様に加温することができる。また、特許文献１の上記第２の例の開放型保育器は、ほぼ球状の発熱体と、この発熱体のほぼ上面側を上方から覆っているほぼ半球面形状の反射板とを備えている。そして、加熱器は、平面的に見て、児用マットの上面の中心から頭側の端部側に十分に位置ずれした位置に配置されているから、マット上の児に対してＸ線撮影を行うときなどには、加熱器を別の位置に退避させる必要がない。
【特許文献１】特開２０００−３５４６１４号公報
【発明の開示】
【発明が解決しようとする課題】
【０００４】
しかし、特許文献１の上記第１の例の開放型保育器においては、マット上の幼児に対してＸ線撮影を行うときなどには、加熱器を別の位置に退避させる必要がある。したがって、この退避操作が面倒であるとともに、開放型保育器の構造も複雑になり、そして、操作ミスなどによって、加熱器がＸ線撮影装置などと接触する事故が起きやすいから、両者が損傷する可能性がある。さらに、マット上の児に処置を施す処置者の頭部によって加熱器からの熱線が遮断されるおそれがあるから、加熱器の本来の効能が十分には発揮されない可能性があり、また、処置者の頭部（特に後頭部）が不必要に加熱される可能性もある。
【特許文献１】特開２０００−３５４６１４号公報
【０００５】
そして、特許文献１の上記第２の例の開放型保育器においては、ほぼ球状の発熱体とほぼ半球面状の反射板とを用いて、マットの上面を加温するようにしているから、マットの上面の中心付近の円形部分が主として加温される。しかし、マットは平面的に見てほぼ長方形状であるから、マットの上面の四隅付近は上記中心付近のように加温されることはない。したがって、蘇生処置、その他の各種の治療や処置を幼児に対して施すときに、幼児をマットの上面の中心付近に横たわらせてから行う必要があるから、各種の治療や処置を行うときに制約を受ける可能性がある。
【特許文献１】特開２０００−３５４６１４号公報
【０００６】
本発明は、特許文献１の幼児ケア用装置における上述のような欠点を比較的簡単な構成でもって解決するようにしたものである。
【特許文献１】特開２０００−３５４６１４号公報
【課題を解決するための手段】
【０００７】
本発明は、児を横たわらせるためのマットと、このマットの上面に熱線を放射することができる加熱器とを備え、上記加熱器が、上記マットの上記上面の中心に対して斜め上方にその中心を有するほぼロッド状の発熱体と、このロッド状発熱体をほぼ上方から覆っている上側反射板部を有する反射器とを備え、上記上側反射板部の内周面が、上記ロッド状発熱体の軸心方向に対してほぼ平行に延在している反射面を構成し、この反射面をほぼ平面状に展開した状態における上記反射面の前後方向における中心に対して、上記軸心方向に直交する方向のうちの平面的に見て上記マットの上記中心側とは反対側に向う方向の端部である上記反射面の後端が下方に屈曲している第１の角度が、上記反射面の上記中心に対して、上記後端とは反対側の端部である前端が下方に屈曲している第２の角度よりも、大きいことを特徴とする児ケア用装置に係るものである。この場合、上記マットおよび上記加熱器のそれぞれは、児ケア用装置の共通のフレームに直接または間接的に支持されることができる。
【０００８】
本発明においては、上記第１の角度が、好ましくは、５０°〜１１５°（さらに好ましくは、５５°〜１００°、最も好ましくは、６０°〜９５°）の範囲であり、上記第２の角度が、好ましくは、２０°〜４５°（さらに好ましくは、２２．５°〜４０°、最も好ましくは、２４°〜３６°）の範囲であり、上記反射面の上記前端に対して上記反射面の後端が下方に屈曲している第３の角度が、好ましくは、７０°〜１６０°（さらに好ましくは、８０°〜１４０°、最も好ましくは、８５°〜１３０°）の範囲であり、上記第１の角度から上記第２の角度を差し引いた第４の角度が、好ましくは、３０°〜７０°（さらに好ましくは、３５°〜６０°、最も好ましくは、３６°〜５８°）の範囲である。
【０００９】
そして、本発明においては、上記反射面が、上記ロッド状発熱体の上記軸心方向にほぼ沿って長手状に延在しかつほぼ平面形状である多数の反射面部から構成され、これら多数の長手状反射面部が、上記反射面の上記前後方向に互いに隣接して順次配列されているのが好ましい。また、本発明においては、上記ロッド状発熱体の上記中心を通りかつ上記ロッド状発熱体の上記軸心方向とはほぼ直交している水平方向が、平面的に見て、上記マットのほぼ上記中心を通るのも好ましい。
【００１０】
さらに、本発明においては、上記反射面の上記中心に対して上記反射面がこの中心から上記反射面の上記前端に向うにしたがって下方に屈曲している角度の変化の度合いが、上記反射面の上記中心から上記反射面の上記前端に向うにしたがって、段階的および／または連続的に小さくなっており、上記反射面の上記中心に対して上記反射面がこの中心から上記反射面の上記後端に向うにしたがって下方に屈曲している角度の変化の度合いが、途中の箇所までは段階的および／または連続的に大きくなっており、上記途中の箇所からは段階的および／または連続的に小さくなっているのも好ましい。
【発明の効果】
【００１１】
本発明によれば、児用マットの上面の中心から或る程度位置ずれした位置に加熱器を配置することができるから、マット上の児に対してＸ線撮影などを行うときに、加熱器を別の位置に退避させる必要がないか、退避させるとしても、多少退避させるだけでよく、さらに、マット上の児に処置を施す処置者の頭部によって加熱器からの熱線が遮蔽されるおそれが少なく、このために、加熱器の本来の効能が十分に発揮されやすく、また、処置者の頭部（特に後頭部）が不必要に加熱されにくい。それでいて、児用マットの上面がほぼ長方形状であっても、このマットの上面全体をほぼ一様またはおよそ一様に加温することができるから、蘇生処置、その他の各種の治療や処置を児に対して施すときに、児をマットの上面のいずれの箇所に横たわらせても、これらの治療や処置を児に対して施すことができる。また、請求項２〜４に係る発明によれば、本発明による上述の効果をさらに確実に奏することができる。
【００１２】
そして、請求項５に係る発明によれば、上側反射面部の反り返りなどによる形状変化が生じにくいから、上側反射面部の内周面によって構成されている反射面の形状変化を生じにくくすることができる。また、請求項６に係る発明によれば、児用マットの上面全体の加温をさらに確実に行うことができる。さらに、請求項７に係る発明によれば、ロッド状発熱体から放射される熱線を反射面で効果的に反射させることができるから、マットの上面全体をほぼ一様またはおよそ一様に加温することを一層確実に行うことができる。
【発明を実施するための最良の形態】
【００１３】
つぎに、本発明を閉鎖型保育器兼用の開放型保育器に適用した一実施例を、「１、保育器全体の概略的な構成」、「２、加熱器の構成」、「３、上側反射板部の構成」、「４、加熱器の作用効果」、「５、変形例」および「６、児ケア用装置としての好ましい構成」に項分けして、図面を参照しつつ説明する。
【００１４】
１、保育器全体の概略的な構成
保育器１は、図１および図２に示すように、平面的に見てほぼ長方形状などの基台２と、この基台２のほぼ外周囲に沿って立設されているほぼ直方体形状などのフード３とを備えている。また、基台２上には、臥床架（図示せず）が配置され、この臥床架上に配置された児用マット４上には、必要に応じて薄いシーツ（図示せず）が敷かれてから、未熟児などの児が横たわらされて診察、処置、保育などを施される。そして、フード３は、全体としてほぼ透明であってよく、右側の壁部５、左側の壁部（図示せず）、頭側の壁部６および脚側の壁部７をそれぞれ備えている。また、右側の壁部５、上記左側の壁部、脚側の壁部７などは、フェンスまたは処置窓を構成しているので、児に対する診察、処置などを任意の方向から行えるようにするために、下方に向って往動することになどよって開放され得るように構成されている。さらに、右側の壁部５、上記後側の壁部などには、前後一対などの手入れ窓８が配置されていてよい。なお、上述のように、右側の壁部５、上記左側の壁部および脚側の壁部７が完全に解放されたときには、保育器１を蘇生処置用装置として用いることができる。
【００１５】
図１および図２に示す基台２は、ほぼ水平方向に延在するフレーム（図示せず）に取り付け支持されている。そして、このフレームは、メイン支柱１１に支持されている。また、このメイン支柱１１は、それぞれ車輪１２付きの例えば４本の腕部を有するベース１３に取り付け支持されている。さらに、基台２には、脚側の方向に向って引き出すことができる引き出し１４が取り付けられることができる。
【００１６】
図１および図２に示すメイン支柱１１に取り付け支持されている上記フレームには、互いに左右対称であってよい左右一対のサブ支柱１５が取り付け支持されている。そして、これら左右一対のサブ支柱１５は、フード３から頭側の方向に離間した状態でもって頭側の壁部６よりもさらに外方側に配置されている。なお、フード３は、図１および図２に示すように、天面フード１６をさらに備えている。そして、これら左右一対のサブ支柱１５のうちの例えば右側のサブ支柱１５には、天面フード１６が取り付け支持されている。また、例えば左側のサブ支柱１５には、加熱器１７がマット４の中心４ａの斜め上方に位置するように取り付け支持されている。
【００１７】
図１および図２に示す天面フード１６用のサブ支柱１５および加熱器１７用のサブ支柱１５のそれぞれは、固定支柱２１および可動支柱２２から成っている。そして、左右一対のサブ支柱１５の固定支柱２１の下端部は、前記フレームに取り付け支持されている。また、可動支柱２２は、従動歯車、駆動用チェーン、駆動歯車、電動モータなどの駆動機構（いずれも図示せず）によって、上下方向に往復駆動（換言すれば、固定支柱２１に対して伸縮可能に駆動）されるように構成されている。そして、天面フード１６が図１に示すように上昇位置まで移動したときには、保育器１は、開放型保育器として機能する。また、天面フード１６が図２に示すように下降位置まで移動したときには、保育器１は、閉鎖型保育器として機能する。そして、この閉鎖型保育器として機能するときには、加熱器１７は、その使用状態においては図１に示す場合と同様に上昇位置に留まり、その不使用状態においては図２に示す下降位置まで移動していてよい。
【００１８】
なお、加熱器１７の構成およびその取り付け位置については、次項および次々項（すなわち、「２、加熱器の構成」および「３、上側反射板部の構成」の項）において詳細に説明するので、加熱器１７の構成およびその取り付け位置についての詳細な説明は、この項では省略する。さらに、加熱器１７の構成およびその取り付け位置以外の保育器１の構成は、基本的には周知のものであってもよく、また、加熱器１７の構成およびその取り付け位置以外の保育器１の構成の詳細は、本発明の要旨ではないので、その詳細な図示および詳細な説明は、本文においては、省略する。
【００１９】
２、加熱器の構成
加熱器１７は、図３に示すように、ほぼロッド状の発熱体２３、反射器２４およびフード２５から成っている。そして、フード２５は、図１および図２に示すように、加熱器用サブ支柱１５の可動支柱２２の上端部付近に取り付け固定されている。また、ロッド状発熱体２３は、セラミックから成る発熱要素をほぼ円筒形状などのほぼ筒状のステンレスパイプに被覆したものや、ニクロム線などの抵抗線のコイルから成る発熱要素をほぼ円筒形状などのほぼ筒状の石英管に収容したものなどであってよい。そして、ロッド状発熱体２３は、例えば、直径が約１５ｍｍで長さが約１８０ｍｍであってよい。また、フード２５は、耐熱性合成樹脂の成形品などであってよい。
【００２０】
反射器２４は、図３および図４に示すように、弦部に相当する下面が開放されているほぼ半角柱形状の上側反射板部２６および左右一対の左側および右側反射板部２７ａ、２７ｂから成っていてよい。そして、左側および右側の反射板部２７ａ、２７ｂの上端部には、被取り付け部３１がそれぞれ形成されている。また、左側および右側の反射板部２７ａ、２７ｂの下端部には、対流熱がフード２５内に流入するのを防止するための上側および下側の帯状突出部３２がそれぞれ形成されている。さらに、左側および右側の反射板部２７ａ、２７ｂの間隔は、例えば、約２００ｍｍであってよい。
【００２１】
図３に示す左側および右側の反射板部２７ａ、２７ｂの内側面（換言すれば、反射面）は、ほぼ平面形状であってよい。そして、左側および右側の反射板部２７ａ、２７ｂの内側面には、ロッド状発熱体２３用のソケット（図示せず）がそれぞれ設けられている。また、これら左右一対のソケットには、ロッド状発熱体２３の両端部が給電可能な状態でそれぞれ取り付け固定されている。さらに、左側および右側の反射板部２７ａ、２７ｂは、フード２５に収容された状態において、それらの被取り付け部３１がフード２５に設けられた左側および右側の取り付け部（図示せず）に取り付け固定されている。また、反射器（換言すれば、上側反射板部２６ならびに左側および右側反射板部２７ａ、２７ｂ）は、アルミニウム製（例えば、純度９９％以上のアルミニウム製）であってよく、それらの反射面の熱線反射率は、例えば、約９５％またはそれ以上であってよい。
【００２２】
上昇位置にある加熱器１７のロッド状発熱体２３の中心２３ａからマット４の上面までの垂直方向における距離Ｌ１は、図３に示すように、図示の実施例においては、約８５０ｍｍである。そして、ロッド状発熱体２３の中心２３ａからマット４の中心４ａまでの水平方向における（換言すれば、平面的に見た）距離Ｌ２は、図示の実施例においては、約６６５ｍｍである。なお、マット４の縦方向（換言すれば、頭側から脚側に向う方向）ｙ１の長さＬ３は、図示の実施例においては、約６３５ｍｍである。そして、マット４の横方向（換言すれば、左右方向）ｘ１の長さＬ４は、図示の実施例においては、約３７５ｍｍである。また、マット４の厚さＴは、図示の実施例においては、約２０ｍｍである。
【００２３】
ロッド状発熱体２３の中心２３ａは、図示の実施例においては、図３に示すように、平面的に見てマット４の中心４ａとは、マット４の縦方向（換言すれば、頭側から脚側に向う方向）ｙ１において互いにほぼ一直線上に配されている。また、ロッド状発熱体２３の軸心方向ｘ２は、マット４の横方向ｘ１とはほぼ平行になっている。そして、上側反射板部２６の内周面である反射面３３（図４参照）は、ロッド状発熱体２３の軸心方向ｘ２とはほぼ平行になっている。さらに、上側反射板部２６の反射面３３の前側部分および後側部分は、ロッド状発熱体２３の軸心方向ｘ２とはほぼ直交する水平方向ｙ２に対してほぼ下方に屈曲した状態で延在している。そして、この内周面３３は、ロッド状発熱体２３のほぼ上面側を上方から覆っている。
【００２４】
３、上側反射板部の構成
上側反射板部２６の外周面および内周面は、図４、図５Ａおよび図５Ｂに示すように、弦部に相当する下面が開放されているほぼ半角柱形状に構成されている。なお、このような上側反射板部２５は、例えば、鏡面加工したアルミニウム板をプレス加工などにより成形することによって、構成されることができる。また、上側反射板部２５の前端部および後端部には、反射面として機能しない前側および後側の屈曲部３４ａ、３４ｂがそれぞれ形成されている。そして、これらの屈曲部３４ａ、３４ｂは、上側反射板部２５の外周面側に十分に屈曲されている。
【００２５】
上側反射板部２６の内周面から成る反射面３３は、図４、図５Ａおよび図５Ｂに示すように、ロッド状発熱体２３の軸心方向ｘ２とはほぼ平行な方向にそれぞれ延在している２９個の長手状反射面部３５ａ〜３５ｍ、３６、３７ａ〜３７ｏから成っている。そして、これらの長手状反射面部３５ａ〜３５ｍ、３６、３７ａ〜３７ｏのそれぞれは、ほぼ平面形状であって、これらの長手状反射面部の相互の境界には、必要に応じて小さなアールが設けられることができる。
【００２６】
上側反射板部２６を展開した状態における反射面３３の前後方向における中心３８は、長手状反射面部３６（具体的には、長手状反射面部３６のうちの長手状反射面部３７ａ寄りの部分）に存在している。したがって、以下において、長手状反射面部３６を中央の長手状反射面部と称し、長手状反射面部３５ａ〜３５ｍのそれぞれを前側の長手状反射面部と称し、長手状反射面部３７ａ〜３７ｏのそれぞれを後側の長手状反射面部と称する。なお、長手状反射面部３５ａ〜３５ｍ、３６、３７ａ〜３７ｏのそれぞれのおよその幅（換言すれば、ロッド状発熱体２３の軸心方向とはほぼ直交する方向の長さ）は、つぎの表１および表２において幅として示されている。そして、前側の長手状反射面部３５ａ〜３５ｍおよび後側の長手状反射面部３７ａ〜３７ｏのそれぞれが中央の長手状反射面部３６と成すおよその角度は、つぎの表１および表２において角度として示されている。さらに、表１において、角度差とは、長手状反射面部３５ａ〜３５ｍのそれぞれが１つ後の長手状反射面部３５ｂ〜３５ｍ、３６と成すおよその角度を示している。また、表２において、角度差とは、長手状反射面部３７ａ〜３７ｏのそれぞれが１つ前の長手状反射面部３６、３７ａ〜３７ｎと成すおよその角度を示している。なお、表１において、符号とは、前側の長手状反射面部３５ａ〜３５ｍおよび中央の長手状反射面部３６のそれぞれの符号を意味している。また、表２において、符号とは、中央の長手状反射面部３６および後側の長手状反射面部３７ａ〜３７ｏのそれぞれの符号を意味している。
【００２７】
【表１】
2010082325.tif 000003
【００２８】
【表２】
2010082325.tif 000004
【００２９】
上記表１および表２から、上側反射板部２６の反射面３３について、つぎの（ア）項〜（エ）項に記載の事項が分かる。
（ア）長手状反射面部３５ａ〜３５ｍ、３６、３７ａ〜３７ｏのそれぞれの幅は、反射面３３の前後方向ｙ２における端部（具体的には、後端部）に位置している長手状反射面部３７ｏを除いて、約８．０４ｍｍ〜約９．８８ｍｍであり、前側の長手状反射面部３５ａ〜３５ｍのそれぞれの幅は、反射面３３の前端部に位置している反射面部３５ａを除いて（除かない場合も、同じ）、約８．１６ｍｍ〜約９．８８ｍｍであり、中央の長手状反射面部３６の幅は、約８．２４ｍｍであり、後側の長手状反射面部３７ａ〜３７ｏのそれぞれの幅は、反射面３３の後端部に位置している反射面部３７ｏを除いて、約８．０４ｍｍ〜約８．７２ｍｍであること、
（イ）反射面３３の前端部に位置している前側の長手状反射面部３５ａが中央の長手状反射面部３６（換言すれば、中心３８）に対して下方に屈曲している角度は、約３０°であり、反射面３３の後端部に位置している後側の長手状反射面部３７ｏが中央の長手状反射面部３６（換言すれば、中心３８）に対して下方に屈曲している角度は、約７６°であり、上記前側長手状反射面部３５ａが上記後側長手状反射面部３７ｏに対して下方に屈曲している角度は、約１０６°であること、
（ウ）１３個の前側長手状反射面部３５ａ〜３５ｍのそれぞれが１つ後の長手状反射面部３５ｂ〜３５ｍ、３６と成す角度は、反射面３３の前端部（換言すれば、長手状反射面部３５ａ）から後端部（換言すれば、長手状反射面部３５ｍ）まで、約１°〜約５°の範囲で次第に大きくなっていること、および
（エ）１５個の後側長手状反射面部３７ａ〜３７ｏのそれぞれが１つ前の長手状反射面部３６、３７ａ〜３７ｎと成す角度は、前端部（換言すれば、長手状反射面部３７ａ）から途中（換言すれば、長手状反射面部３７ｄ）までは、約６°〜約９°の範囲で次第に大きくなっており、途中（換言すれば、長手状反射面部３７ｄ）から後端部（換言すれば、長手状反射面部３７ｏ）までは、約１°〜約９°の範囲で次第に小さくなっていること。
【００３０】
なお、上記（エ）項に記載した途中の長手状反射面部３７ｄの幅方向における中心３９は、上側反射板部２６をほぼ平板状（換言すれば、反射面３３をほぼ平面状）に展開した状態においては、反射面３３の中心３８から約２９．０３ｍｍ後方で反射面３３の後端から約９２．０３ｍｍ前方に位置している。換言すれば、反射面３３は、その後端から反射面３３の前後方向ｙ２における全長の約３８％の長さだけ前方でかつその前端から反射面３３の前後方向ｙ２における全長の約６２％の長さだけ後方に位置している箇所付近において、上記前後方向ｙ２に沿って内側に屈曲している度合が最大になっている。
【００３１】
反射面３３とロッド状発熱体２３との相互の位置関係を図４、図５Ａおよび図５Ｂを参照して記載すると、つぎの（オ）項〜（シ）項に記載のとおりである。
（オ）ロッド状発熱体２３の中心２３ａと反射面３３の前端（換言すれば、前側の長手状反射面部３５ａの前端）との間の距離Ｌ５（図５Ａ参照）は、約１２９ｍｍであり、この直線Ｌ５が前側の長手状反射面部３５ａの前端（換言すれば、反射面３３の前端）と成す角度θ１は、約２５°であること、
（カ）ロッド状発熱体２３の中心２３ａと反射面３３の後端（換言すれば、後側の長手状反射面部３７ｏの後端）との間の距離Ｌ６（図５Ｂ参照）は、約７９ｍｍであり、この直線Ｌ６が後側の長手状反射面部３７ｏの後端（換言すれば、反射面３３の後端）と成す角度θ２は、約３０°であること、
（キ）上記角度θ２から上記角度θ１を差し引いた角度（換言すれば、θ２−θ１）は、約５°であること、
（ク）ロッド状発熱体２３の中心２３ａと反射面３３の前後方向ｙ２における中心３８との間の距離Ｌ７（図５Ａおよび図５Ｂ参照）は、約３４ｍｍであり、この直線Ｌ７が上記中心３８において反射面３３（具体的には、中央の長手状反射面部３６）と成す角度θ３は、約５５°であること、
（ケ）ロッド状発熱体２３の中心２３ａと反射面３３との最短距離Ｌ８（図５Ｂ参照）は、約２４ｍｍであり、この直線Ｌ８がこの最短距離の地点４２において反射面３３（具体的には、後側の長手状反射面部３７ｄ）と成す角度θ４は、約９０°であること、
（コ）上記直線Ｌ７と上記直線Ｌ８とが成す角度θ５は、約６０°であること、
（サ）反射面３３の前端と後端との前後方向ｙ２における間隔は、約１９９ｍｍであること、および
（シ）反射面３３の最大深さ（換言すれば、反射面３３の前端と後端とを結ぶ平面から反射面３３の最深部（図示の実施例においては、長手状反射面部３７ｂと長手状反射面部３７ｃとの境界付近）に向って立ち上げた垂線の長さ）は、約６８ｍｍであること。
【００３２】
なお、上記（ケ）項に記載した最短距離の地点４２（図５Ｂ参照）は、前記（エ）項に記載した途中の長手状反射面部３７ｄの中心３９（換言すれば、反射面３３のうちの前後方向に沿って内側に屈曲している度合が最大になる箇所）付近に存在している。
【００３３】
４、加熱器の作用効果
図６には、ロッド状発熱体２３の中心２３ａからマット４の上面に向って放射される熱線４１をこのロッド状発熱体２３の軸心方向ｙ２から見た状態が示されている。この場合、熱線４１のうちの、ロッド状発熱体２３の中心２３ａからマット４の上面に向って直接放射される直射熱線４１ａは、一点鎖線で示されている。また、熱線４１のうちの、ロッド状発熱体２３の中心２３ａから放射された後に上側反射板部２６の反射面３３によって反射されてからマット４の上面に向って放射される反射熱線４１ｂは、実線で示されている。さらに、図７は、上記直射熱線４１ａのみを示す図６と同様の図である。また、図８は、上記反射熱線４１ｂのみを示す図６と同様の図である。
【００３４】
図６において、熱線４１の束がマット４の上面の頭側の端部４ｂと成す角度θ６は、約６６°である。そして、熱線４１の束がマット４の上面の中心４ａと成す角度θ７は、約５５°である。また、熱線４１の束がマット４の上面の脚側の端部４ｃと成す角度θ８は、約４４°である。さらに、ロッド状発熱体２３の中心２３ａからマット４の上面の頭側の端部４ｂまでの距離は、約１００ｃｍである。これに対し、ロッド状発熱体２３の中心２３ａからマット４の上面の脚側の端部４ｃまでの距離は、約１３０ｃｍである。このために、上記直射熱線４１ａは、図７に示すように、マット４の上面の頭側の端部４ｂ付近においては放射距離が比較的短くて入射角も比較的小さく、同上の中心４ａにおいては放射距離および入射角がそれぞれ中位で、同上の脚側の端部４ｃにおいては放射距離が比較的長くて入射角も比較的大きくなっている。そこで、図３および図４に示すように反射器２４の構成などを工夫することによって、上記反射熱線４１ｂは、図８に示すように、マット４の上面の頭側の端部４ｂ付近においては少なく放射され、同上の中心４ａにおいては多少多く放射され、同上の脚側の端部４ｃにおいてはかなり多く放射されるようにしている。したがって、図６に示すマット４の上面は、ロッド状発熱体２３の軸心方向ｘ２とはほぼ直交する水平方向ｙ２において、頭側の端部４ｂから中心４ａを経て脚側の端部４ｃに至るまでほぼ一様またはおよそ一様に加熱される。
【００３５】
図９には、ロッド状発熱体２３の中心２３ａならびに左右一対の左側および右側の端部付近からマット４の上面に向って放射される熱線４１をこのロッド状発熱体２３の軸心方向ｘ２とは直交する水平方向ｙ２から見た正面図が示されている。この場合にも、熱線４１のうちの、ロッド状発熱体２３からマット４の上面に向って直接放射される直射熱線４１ａは、一点鎖線で示されている。また、熱線４１のうちの、ロッド状発熱体２３から放射された後に上側反射板部２６の反射面３３によって反射されてからマット４の上面に向って放射される反射熱線４１ｂは、実線で示されている。さらに、図１０は、上記直射熱線４１ａのみを示す図９と同様の図である。また、図１１は、上記反射熱線４１ｂのみを示す図９と同様の図である。
【００３６】
図９において、ロッド状発熱体２３の中心２３ａとマット４の上面の中心４ａとは、このロッド状発熱体２３の軸心方向ｘ２とは直交する垂直方向において、ほぼ一直線上に配されている。また、マット４の幅方向ｘ１の長さＬ４が約３７５ｍｍであるのに対し、ロッド状発熱体２３の軸心方向ｘ２の長さは約１８０ｍｍであるから、前者Ｌ４に対する後者の比は、約４８％である。このために、熱線４１の直射熱線４１ａおよび反射熱線４１ｂは、マット４の上面の幅方向ｘ１においてほぼ一様またはおよそ一様に放射される。したがって、図９に示すマット４の上面は、ロッド状発熱体２３のほぼ軸心方向ｘ２において、左側の端部から右側の端部に至るまでほぼ一様またはおよそ一様に加熱される。
【００３７】
上述のとおりであるから、天面フード１６が図１に示すように上昇しているときには、ロッド状発熱体２３からの熱線４１（換言すれば、直射熱線４１ａと反射熱線４１ｂとの合計）が、マット４のほぼ長方形状の上面全体をほぼ一様またはおよそ一様に加温することができる。具体的には、マット４のほぼ長方形状の上面（換言すれば、熱線放射領域）のうちのどの箇所で測定しても、設定温度と熱線放射領域との温度差は、１℃程度であった。したがって、処置者は、マット４の上面上のいずれの箇所に児を位置させても、蘇生処置、その他の各種の治療や処置を児に対して施すことができる。そして、天面フード１６が図２に示すように下降して、天面フード１６を含むフード３がマット４の上面に閉鎖空間を形成するときには、図１に示す上昇位置に留まっている加熱器１７のロッド状発熱体２３への供給電力が、図１に示す天面フード１６の上昇時に較べて、例えば、約１／５に低減される。このために、閉鎖型保育器として機能している保育器１のフード３（特に天面フード１６）の内側面における露結が防止されるとともに、上記閉鎖空間が適温に保持される。また、閉鎖型保育器として機能している保育器１の加熱器１７が図２に示す下降位置まで移動して不使用状態になると、ロッド状発熱体２３への給電が自動的に中断される。
【００３８】
さらに、図示の実施例においては、図３に示すように、加熱器１７は、平面的に見て、マット４の頭側の端部４ｂからマットの縦方向ｙ１における外側に十分離れた位置に配置されている。具体的には、ロッド状発熱体２３の中心２３ａは、平面的に見て、頭側の端部４ｂからマット４の縦方向ｙ１における外側にＬ２−（１／２）・Ｌ３（すなわち、約３４７．５ｍｍ）離れた位置に配置されている。したがって、天面フード１６の昇降時に加熱器１７が邪魔になるおそれがない。また、マット４上の幼児に対してＸ線撮影などを行うときにも、加熱器１７を別の位置に退避させる必要がない。さらに、マット上の児に処置を施す処置者の頭部によって加熱器からの熱線が遮蔽されるおそれがほとんどなく、このために、加熱器の本来の効能が十分に発揮されやすく、また、処置者の頭部（特に後頭部）が不必要に加熱されるおそれもほとんどない。
【００３９】
５、変形例
以上において、図面を参照して本発明の一実施例について詳細に説明したが、本発明は、この実施例に限定されるものではなく、特許請求の範囲に記載された発明の趣旨に基づいて、例えば、つぎの（ア）項〜（エ）項に記載するように、各種の変更および修正を施すことが可能である。
（ア）図示の実施例においては、本発明を閉鎖型保育器兼用の開放型保育器１に適用した。しかし、本発明は、開放型保育器（いわゆる、インファントウォーマ）、幼児蘇生処置用装置、その他の幼児ケア用装置にも適用することができる。
（イ）図示の実施例においては、平面的に見て、加熱器１７（換言すれば、フード２５および／または反射器２４および／またはロッド状発熱体２３）が図３および図６〜図８に示すようにマット４の上面の頭側の端部４ｂからマット４の縦方向ｙ１における外側の箇所に配置されている。しかし、開放型保育器などの場合には、加熱器１７（特に、反射器２４および／またはロッド状発熱体２３）が、平面的に見て、部分的または全体的にマット４の上面の箇所に配置されていてもよい。そして、この場合には、加熱器１７全体を、例えばロッド状発熱体２３の軸心方向を回動中心として、図４における時計方向に多少回動させた状態で可動支柱２２に取り付け固定すればよい。
（ウ）図示の実施例においては、ロッド状発熱体２３の中心２３ａを通りかつロッド状発熱体２３の軸心方向ｘ２とはほぼ直交する水平方向ｙ２が、平面的に見て、マット４の中心４ａを通るマット４の縦方向とほぼ一致している。しかし、ロッド状発熱体２３の中心２３ａを通るロッド状発熱体２３の軸心方向ｘ２とは直交する水平方向ｙ２が、平面的に見て、マット４の中心４ａを通るマット４の縦方向ｙ１にほぼ一致している必要は必ずしもなく、上記縦方向ｙ１に対して時計方向または反時計方向に多少角度ずれした状態になるように交差していてもよいし、上記縦方向ｙ１に対してほぼ平行な状態になるように左側または右側に多少位置ずれしていてもよいし、上記角度ずれと上記位置ずれとの両方の状態になっていてもよい。そして、上記縦方向ｙ１に対して交差している場合には、ロッド状発熱体２３の中心２３ａを通るロッド状発熱体２３の軸心方向ｘ２とは直交する水平方向ｙ２が、平面的に見て、マット４のほぼ中心４ａを通るのが好ましい。
（エ）図示の実施例においては、上側反射板部２６の反射面３３全体が、図４、図５Ａおよび図５Ｂに示すように、多数のほぼ平面形状の長手状反射面部３５ａ〜３５ｍ、３６、３７ａ〜３７ｏから構成されているために、反射面３３は、その前端から後端まで、ロッド状発熱体２３の上面側をほぼ取り囲むように階段的に屈曲している。しかし、本発明においては、上側反射板部２６の反射面３３全体が、ほぼ平面形状の長手状反射面部３５ａ〜３５ｍ、３６、３７ａ〜３７ｏから構成されている必要は必ずしもなく、部分的または全体的に弯曲面を含んでいてもよい。そして、この場合、上記弯曲面は、長手状反射面部３５ａ〜３５ｍ、３６、３７ａ〜３７ｏに部分的または全体的にほぼ沿った包絡面形状であってよい。ただし、ほぼ平面形状の長手状反射面部３５ａ〜３５ｍ、３６、３７ａ〜３７ｏは、上記湾曲面に較べて、反り返りなどによる形状変化を生じにくいので、一般的には、上記ほぼ平面形状の長手状反射面部の方が上記湾曲面よりも好ましい。
【００４０】
６、幼児ケア用装置としての好ましい構成
本発明は、図面に示すように閉鎖型保育器兼用の開放型保育器１に適用し得るだけでなく、上記５（ア）項に記載したように、開放型保育器、幼児蘇生処置用装置、その他の幼児ケア用装置にも適用することができる。そして、本発明を幼児ケア用装置に適用する場合における好ましい構成を列挙すれば、実用性の観点から見て一般的に、つぎの（ア）項〜（ミ）項に記載のとおりである。なお、本発明が適用される幼児ケア用装置は、これらの（ア）項〜（ミ）項に記載した構成のうちのいずれか複数の構成または全部の構成を備えているのが好ましい。
（ア）ロッド状発熱体２３の直径は、７．５〜３０ｍｍ（さらに好ましくは、１０〜２２．５ｍｍ、最も好ましくは、１２〜１９ｍｍ）の範囲であること、
（イ）ロッド状発熱体２３の長さは、９０〜３６０ｍｍ（さらに好ましくは、１２０〜２７０ｍｍ、最も好ましくは、１４５〜２２５ｍｍ）の範囲であること、
（ウ）反射器２５の左側の反射板部２７ａと右側の反射板部２７ｂとの相互の間隔は、ロード状発熱体２３の長さよりも多少長くして、１００〜４００ｍｍ（さらに好ましくは、１３０〜３００ｍｍ、最も好ましくは、１６０〜２５０ｍｍ）の範囲であること、
（エ）加熱器１７が上昇位置（換言すれば、熱線放射位置）にあるときのロッド状発熱体２３の中心２３ａからマット４の上面までの垂直方向における距離Ｌ１（図３参照）は、５７０〜１２７０ｍｍ（さらに好ましくは、６４０〜１１３０ｍｍ、最も好ましくは、６８０〜１０６０ｍｍ）の範囲であること、
（オ）加熱器１７が熱線放射位置にあるときのロッド状発熱体２３の中心２３ａからマット４の中心４ａまでの平面的に見た距離Ｌ２（図３参照）は、４４０〜１０００ｍｍ（さらに好ましくは、５００〜８８０ｍｍ、最も好ましくは、５３０〜８３０ｍｍ）の範囲であること、
（カ）マット４の縦方向ｙ１の長さＬ３は、４２０〜９６０ｍｍ（さらに好ましくは、４８０〜８４０ｍｍ、最も好ましくは、５００〜８００ｍｍ）の範囲であること、
（キ）マット４の横方向ｘ１の長さＬ４は、２５０〜５６０ｍｍ（さらに好ましくは、２８０〜５００ｍｍ、最も好ましくは、３００〜４７０ｍｍ）の範囲であること、
（ク）反射器２５の上側反射板部２６の反射面３３は、ロッド状発熱体２３の軸心方向ｘ２とはほぼ平行な方向に延在している多数のほぼ平面形状の長手状反射面部３５ａ〜３５ｍ、３６、３７ａ〜３７ｏから成り、これらの長手状反射面部の個数は、１８〜４４個（さらに好ましくは、２１〜３９個、最も好ましくは、２４〜３６個）の範囲であること、
（ケ）上記（ク）項に記載した多数の長手状反射面部３５ａ〜３５ｍ、３６、３７ａ〜３７ｏのそれぞれの幅は、上記反射面３３の前後方向ｙ２における端部に位置している長手状反射面部（図示の実施例においては、長手状反射面部３５ａ、３７ｏ）を除いて、５．４〜１４．８ｍｍ（さらに好ましくは、６．０〜１３．２ｍｍ、最も好ましくは、６．４〜１２．４ｍｍ）の範囲であること、
（コ）上側反射板部２６の反射面３３をほぼ平面状に展開した状態における反射面３３の前後方向ｙ２における中心３８に対して、反射面３３の前端が下方に屈曲している角度は、２０°〜４５°（さらに好ましくは、２２．５°〜４０°、最も好ましくは、２４°〜３６°）の範囲であること、
（サ）上記（コ）項に記載した中心３８に対して反射面３３がこの中心３８から前端に向うにしたがって下方に屈曲している角度の変化の度合は、上記中心３８から反射面３３の前端に向うにしたがって、段階的および／または連続的に小さくなっていること、
（シ）上記（コ）項に記載した中心３８から反射面３３の前端までの間に互いに隣接する少なくとも２個のほぼ平面形状の長手状反射面部３５ａ〜３５ｍが含まれているとき（反射面３３のうちの上記中心３８から前側がほぼ平面形状の長手状反射面部のみの場合を含む。）には、上記長手状反射面部がその前後に隣接する長方状反射面部とそれぞれ成す角度は、０．５°〜７．５°（好ましくは、０．７５°〜６．７５°、最も好ましくは、０．８°〜６°）の範囲であること、
（ス）上記（コ）項に記載した中心３８に対して反射面３３の後端が下方に屈曲している角度は、５０°〜１１５°（さらに好ましくは、５５°〜１００°、最も好ましくは、６０°〜９５°）の範囲であること、
（セ）上記（コ）項に記載した中心３８に対して反射面３３がこの中心３８から後端に向うにしたがって下方に屈曲している角度の変化の度合は、途中の箇所（具体的には、長手状反射面部３７ｄ）までは段階的および／または連続的に大きくなっており、上記途中の箇所からは段階的および／または連続的に小さくなっていること、
（ソ）上記（コ）項に記載した中心３８から反射面３３の後端までの間に互いに隣接する少なくとも２個のほぼ平面形状の長手状反射面部３７ａ〜３７ｏが含まれているとき（反射面３３のうちの上記中心３８から後側がほぼ平面形状の長手反射面部のみの場合を含む。）には、上記長手状反射面部がその前後に隣接する長方状反射面部とそれぞれ成す角度は、０．５°〜１３．５°（好ましくは、０．７°〜１２°、最も好ましくは、０．８°〜１１．５°）の範囲であること、
（タ）上記途中の箇所は、反射面３３をほぼ平面状に展開した状態における反射面３３の前後方向ｙ２における全長のうちの、反射面３３の後端から２８〜５０％（さらに好ましくは、３０〜４７．５％、最も好ましくは、３２〜４５％）の範囲（換言すれば、上記全長をＬ９（図示せず）としたときに、反射面３３の後端から０．２８Ｌ９〜０．５０Ｌ９の範囲、さらに好ましくは、０．３Ｌ９〜０．４７５Ｌ９の範囲、最も好ましくは、０．３２Ｌ９〜０．４５Ｌ９の範囲）であること、
（チ）反射面３３の前端に対して反射面３３の後端が下方に屈曲している角度は、７０°〜１６０°（さらに好ましくは、８０°〜１４０°、最も好ましくは、８５°〜１３０°）の範囲であること、
（ツ）上記（ス）項に記載の角度から上記（コ）項に記載の角度を差し引いた角度は、３０°〜７０°（さらに好ましくは、３５°〜６０°、最も好ましくは、３６°〜５８°）の範囲であること、
（テ）ロッド状発熱体２３の中心２３ａと反射面３３の前端との間の距離Ｌ５（図５Ａ参照）は、８６〜１９０ｍｍ（さらに好ましくは、９６〜１７２ｍｍ、最も好ましくは、１０４〜１６０ｍｍ）の範囲であること、
（ト）ロッド状発熱体２３の中心２３ａと反射面３３の前端とを平面的に見て前後方向ｙ２に結ぶ線分Ｌ５が反射面３３の前端と成す角度θ１（図５Ａ参照）は、１６°〜３８°（さらに好ましくは、１８°〜３４°、最も好ましくは、２０°〜３０°）の範囲であること、
（ナ）ロッド状発熱体２３の中心２３ａと反射面３３の後端との間の距離Ｌ６（図５Ｂ参照）は、５２〜１２０ｍｍ（さらに好ましくは、６０〜１０６ｍｍ、最も好ましくは、６４〜９８ｍｍ）の範囲であること、
（ニ）ロッド状発熱体２３の中心の２３ａと反射面３３の後端とを平面的に見て前後方向ｙ２に結ぶ線分Ｌ６が反射面３３の後端と成す角度θ２（図５Ｂ参照）は、２０°〜４５°（さらに好ましくは、２２．５°〜４０°、最も好ましくは、２４°〜３６°）の範囲であること、
（ヌ）ロッド状発熱体２３の中心２３ａと反射面３３の前後方向ｙ２における中心３８との間の距離Ｌ７（図５Ａおよび図５Ｂ参照）は、２２〜５５ｍｍ（さらに好ましくは、２５〜４５ｍｍ、最も好ましくは、２７．５〜４２ｍｍ）の範囲であること、
（ネ）ロッド状発熱体２３の中心２３ａと反射面３３の前後方向ｙ２における中心３８とを結ぶ線分Ｌ７が上記中心３８において反射面３３と成す角度θ３は、３６°〜８２°（さらに好ましくは、４２°〜７２°、最も好ましくは、４４°〜６８°）の範囲であること、
（ノ）ロッド状発熱体２３の中心２３ａと反射面３３との最短距離Ｌ８（図５Ｂ参照）は、１６〜３６ｍｍ（さらに好ましくは、１８〜３２ｍｍ、最も好ましくは、１９〜３０ｍｍ）の範囲であること、
（ハ）ロッド状発熱体２３の中心２３ａと反射面３３とを最短で結ぶ線分Ｌ８がこの最短距離の地点４２において反射面３３と成す角度θ４（図５Ｂ参照）は、６０°〜１３５°（さらに好ましくは、６８°〜１２０°、最も好ましくは、７２°〜１１０°）の範囲であること、
（ヒ）上記（ヌ）項に記載の線分Ｌ７と上記（ノ）項に記載の線分Ｌ８とが成す角度θ５は、４０°〜９０°（さらに好ましくは、４５°〜７５°、最も好ましくは５０°〜７０°）の範囲であること、
（フ）上記（ニ）項に記載の角度θ２から上記（ト）項に記載の角度θ１を差し引いた角度（換言すれば、θ２−θ１）は、３．３°〜７．５°（さらに好ましくは、３．７５°〜６．６７°、最も好ましくは、４°〜６．２５°）の範囲であること、
（ヘ）上記５（ウ）項に記載のように、ロッド状発熱体２３の中心２３ａが平面的に見てマット４の中心４ａに対してマット４の横方向ｘ１に位置ずれしているときの位置ずれの間隔は、０〜３００ｍｍ（さらに好ましくは、０〜２６５ｍｍ、最も好ましくは、０〜２５０ｍｍ）であること、
（ホ）上記５（ウ）項に記載のように、ロッド状発熱体２３の軸心方向ｘ２と直交する方向ｙ２が平面的に見て角度ずれしているときの角度ずれの大きさは、０°〜３０°（さらに好ましくは、０°〜２０°、最も好ましくは、０°〜１０°）の範囲であること、
（マ）反射面３３の前端と後端との前後方向ｙ２における間隔は、１３０〜３００ｍｍ（さらに好ましくは、１５０〜２６５ｍｍ、最も好ましくは、１６０〜２５０ｍｍ）の範囲であること、および
（ミ）反射面３３の最大深さは、４５〜１００ｍｍ（さらに好ましくは、５０〜９０ｍｍ、最も好ましくは、５５〜８５ｍｍ）の範囲であること。
【図面の簡単な説明】
【００４１】
【図１】本発明を閉鎖型保育器兼用の開放型保育器に適用した一実施例における保育器の、開放型の状態での右側面図である。（実施例１）
【図２】図１に示す保育器の閉鎖型の状態での図１と同様の右側面図である。（実施例１）
【図３】図１に示す保育器における加熱器とマットとの位置関係を示す概略的な斜視図である。（実施例１）
【図４】図３に示す加熱器の上側反射板部およびロッド状発熱体の拡大縦断面図である。（実施例１）
【図５Ａ】上側反射板部の後側の長手状反射面部を省略して拡大した図４と同様の縦断図である。（実施例１）
【図５Ｂ】上側反射板部の前側の長手状反射面部を省略して拡大した図４と同様の縦断面図である。（実施例１）
【図６】図１に示す保育器において加熱器からマットに向って放射される熱線を概略的に示す右側面図である。（実施例１）
【図７】図１に示す保育器においてロッド状発熱体からマットに向って直接放射される直射熱線のみを概略的に示す図６と同様の右側面図である。（実施例１）
【図８】図１に示す保育器においてロッド状発熱体から放射された後に上側反射板部によって反射されてからマットに向って放射される反射熱線のみを概略的に示す図６と同様の右側面図である。（実施例１）
【図９】図６と同様の状態を概略的に示す正面図である。（実施例１）
【図１０】図７と同様の状態を概略的に示す正面図である。（実施例１）
【図１１】図８と同様の状態を概略的に示す正面図である。（実施例１）
【符号の説明】
【００４２】
１              閉鎖型保育器兼用の開放型保育器（幼児ケア用装置）
２              基台（フレーム）
４              幼児用マット
４ａ            幼児用マットの中心
１７            加熱器
２３            ロッド状発熱体
２３ａ          ロッド状発熱体の中心
２４            反射器
２６            上側反射板部
３３            反射面
３５ａ〜３５ｍ  前側の長手状反射面部  
３６            中央の長手状反射面部
３７ａ〜３７ｏ  後側の長手状反射面部
３８            反射面の中心
ｘ２            ロッド状発熱体の軸心方向
ｙ２            反射面の前後方向（水平方向）
【図１】
2010082325.tif 000005
【図２】
2010082325.tif 000006
【図３】
2010082325.tif 000007
【図４】
2010082325.tif 000008
【図５Ａ】
2010082325.tif 000009
【図５Ｂ】
2010082325.tif 000010
【図６】
2010082325.tif 000011
【図７】
2010082325.tif 000012
【図８】
2010082325.tif 000013
【図９】
2010082325.tif 000014
【図１０】
2010082325.tif 000015
【図１１】
2010082325.tif 000016